(57)【要約】【課題】  番組予約に伴うキー入力操作を少ない回数で効率的に行えるようにする。【解決手段】  ３０分又は６０分の予約設定時間を設定し、予約キーなどの特定のキーを操作してから、チャンネル合わせする番組を選択すれば、現時間を基準として毎時３０分又は毎時００分に番組予約が行える。例えば、ＰＭ８：１０で１２ＣＨを視聴中、予約設定時間６０分とすれば、ＰＭ９：００から番組予約（視聴又は録画）を行うことができ、最初に予め３０分又は６０分の予約設定時間さえ設定しておけば、予約キー及びチャンネル合わせを行うための数字キーの操作といった最低2回のキー操作を行うだけで予約設定が行える。【選択図】      図３
2006237810.tif 000002
【特許請求の範囲】
【請求項１】
番組予約に際し、単位時間毎に番組予約の開始時間を設定する予約単位時間設定部と、予約すべき番組のチャンネルを設定するチャンネル設定部と、このチャンネル設定部によって予約すべき番組のチャンネルを設定した際、チャンネル設定時の時間を基準として毎時、前記予約単位時間設定部で設定した単位時間から番組予約を実行する制御手段とを備えたことを特徴とする番組予約機能を備えた放送受信装置。
【請求項２】
前記番組予約に際して前記予約単位時間設定部に指令信号を出力するキー入力装置を備え、該キー入力装置は、番組予約に割り当てられたキーを有するとともに、前記制御手段によって前記キーが連続的に操作された際、前記予約単位時間設定部で指定した単位時間を延長するように制御したことを特徴とする請求項１記載の番組予約機能を備えた放送受信装置。
【請求項３】
前記予約単位時間設定部で指定した単位時間と前記選択キーの操作回数との積を前記単位時間の延長時間としたことを特徴とする請求項２記載の番組予約機能を備えた放送受信装置。
【請求項４】
前記予約単位時間設定部とチャンネル設定部で設定した番組予約情報をモニタに表示させる報知処理部を設けたことを特徴とする請求項１〜３の何れか１項に記載の番組予約機能を備えた放送受信装置。
【発明の詳細な説明】
【技術分野】
【０００１】
本発明は、番組予約機能を備えた放送受信装置、特に効率的に番組予約が行える番組予約機能を備えた放送受信装置に関する。
【背景技術】
【０００２】
従来から、チューナを備えた放送受信装置において、光ディスク装置やハードディスドライブユニットなどの記憶再生装置によってチューナで受信した放送番組の録画予約を行なう場合、チャンネル番号、放送開始時間、放送終了時間又は録画終了時間や録画時間等の番組予約に必要な事項をそれぞれ設定することが必要であった。しかし、近年、デジタルＣＳ放送やデジタルＢＳ放送など衛星を利用してデジタル放送データを家庭に配信して、各家庭で高品位のテレビジョンや音楽を楽しむことができるようになっている。このような衛星を利用したデジタル放送ではチャンネル数が多く、さらに、将来的にはデジタル地上波の放送が予定されており、これまでのアナログ地上波に比べさらに放送番組が増えることも予想される。このように、放送番組数が飛躍的に増加するのに伴い、番組予約に伴う放送時間やチャンネル番号の設定は面倒で手間が掛かるものである。
【０００３】
そこで、番組予約に伴う操作を簡略化する技術として、例えば特許文献１には、ＥＰＧ（Ｅｌｅｃｔｒｉｃａｌ  Ｐｒｏｇｒａｍ  Ｇｕｉｄｅ：電子番組ガイド）を利用し、ＥＰＧから予約したい番組を選択することで、番組予約を行なえるようにしたＥＰＧ受信装置が開示されている。また、特許文献２には、雑誌や新聞に掲載された番組表などに記載されたＧコードやバーコードを読み取ることで、予約したい番組のチャンネル番号、放送開始時間、放送終了時間などのテレビ番組認識コードを取得し、これを記憶再生装置側に送信することで番組予約を行なえるようにしたリモートコントロールシステムが開示されている。また、特許文献３には、テレビ受像機と、テレビ受像機に対して電子番組ガイド及びチャンネル制御情報を供給するサーバとを通信回線を介して接続し、サーバは、各視聴者のテレビ受像機が現在どのチャンネルを選択しているかなどの視聴者の視聴履歴をメモリに記憶し、その視聴履歴に基づいて、どのような嗜好の視聴者であるかを分類し、視聴を推奨する番組の誘導するように構成した放送の視聴を推奨するテレビ受信システムが開示されている。
【０００４】
【特許文献１】特開平１１−２６６４１４号公報
【特許文献２】特開平６−３２６８８６号公報
【特許文献３】特開２００３−１８９３３３号公報
【発明の開示】
【発明が解決しようとする課題】
【０００５】
しかし、前述したように特許文献１や特許文献２で示すＥＰＧやバーコード、Ｇコードを利用した番組予約の方法では、それらの機能を備えた専用の機器が必要であり、また、特許文献３で示す複数のテレビ受像機とサーバとを通信回線を介してサーバに接続することから、製造コストの上昇を招くとともに、こうした機能を備えていない一般的な放送受信装置には適用することができない。
【０００６】
本発明は上記課題を鑑みてなされたものであり、簡単な操作で番組予約を行なうことができ、番組予約に伴う操作を効率的に行なうことができる番組予約機能を備えた放送受信装置を提供することを目的とする。
【課題を解決するための手段】
【０００７】
請求項１に係る番組予約機能を備えた放送受信装置は、番組予約に際し、単位時間毎に番組予約の開始時間を設定する予約単位時間設定部と、予約すべき番組のチャンネルを設定するチャンネル設定部と、このチャンネル設定部によって予約すべき番組のチャンネルを設定した際、チャンネル設定時の時間を基準として毎時、前記予約単位時間設定部で設定した単位時間から番組予約を実行する制御手段とを備えたことを特徴とする。
【０００８】
請求項１の構成により、予約単位時間設定部で例えば３０分単位又は６０分単位での予約時間の設定を行う。次に、チャンネル設定部で予約すべき番組のチャンネルを設定する。そして、予約単位時間設定部で例えば、予約単位時間を３０分と設定するとともに、例えばＰＭ８：１０にチャンネル設定部で８ＣＨの番組を設定したとすると、ＰＭ８：３０から８ＣＨの番組が予約（録画又は視聴）される。また、チャンネル設定部で複数のチャンネル、例えば、８ＣＨと６ＣＨを設定すれば、ＰＭ８：３０から８ＣＨの番組が予約され、ＰＭ９：３０から６ＣＨの番組がチャンネル予約される。
【０００９】
請求項２に係る番組予約機能を備えた放送受信装置は、請求項１記載の番組予約機能を備えた放送受信装置において、前記番組予約に際して前記予約単位時間設定部に指令信号を出力するキー入力装置を備え、該キー入力装置は、番組予約に割り当てられたキーを有するとともに、前記制御手段によって前記キーが連続的に操作された際、前記予約単位時間設定部で指定した単位時間を延長するように制御したことを特徴とする。
【００１０】
請求項２の構成により、番組予約に割り当てられたキーが連続的に操作されると、番組予約時間設定部で選択した予約単位時間より長い時間、番組予約時間の延長が可能となる。
【００１１】
請求項３に係る番組予約機能を備えた放送受信装置は、請求項２記載の番組予約機能を備えた放送受信装置において、前記予約単位時間設定部で指定した単位時間と前記選択キーの操作回数との積を前記単位時間の延長時間としたことを特徴とする。
【００１２】
請求項３の構成により、番組予約に割り当てられたキーの操作回数に応じて番組予約時間を延長が可能となり、例えば予約時間設定部により予約単位時間を３０分と設定し、予約キーを３回連続で押したとすると、３０分×３＝９０分の延長が可能であり、予約時間設定部により予約単位時間を９０分と設定した場合、６０分×３＝１８０分の延長が可能である。
【００１３】
請求項４に係る番組予約機能を備えた放送受信装置は、請求項１〜３の何れか１項に記載の番組予約機能を備えた放送受信装置において、前記予約単位時間設定部とチャンネル設定部で設定した番組予約情報をモニタに表示させる報知処理部を設けたことを特徴とする。
【００１４】
請求項４の構成によれば、モニタに表示される番組予約情報で予約内容を確認することが可能となる。
【発明の効果】
【００１５】
請求項１に係る番組予約機能を備えた放送受信装置によれば、番組予約に際し、単位時間毎に番組予約の開始時間を設定する予約単位時間設定部と、予約すべき番組のチャンネルを設定するチャンネル設定部と、このチャンネル設定部によって予約すべき番組のチャンネルを設定した際、チャンネル設定時の時間を基準として毎時、前記予約単位時間設定部で設定した単位時間から番組予約を実行する制御手段とを備えたものであるから、予約単位時間さえ設定しておけば、リモコンなどにキー入力手段によって、番組予約を行う際、予約操作のためのキー操作と、チャンネル合わせのためのキー入力操作を行うだけで簡単に予約設定を行うことができるから、番組予約に伴う操作を簡略化することができる。
【００１６】
請求項２に係る番組予約機能を備えた放送受信装置によれば、請求項１記載の番組予約機能を備えた放送受信装置において、前記番組予約に際して前記予約単位時間設定部に指令信号を出力するキー入力装置を備え、該キー入力装置は、番組予約に割り当てられたキーを有するとともに、前記制御手段によって前記キーが連続的に操作された際、前記予約単位時間設定部で指定した単位時間を延長するように制御したものであるから、予約単位時間設定部で設定した予約単位時間より長い時間、番組予約時間を延長することができる。
【００１７】
請求項３に係る番組予約機能を備えた放送受信装置によれば、請求項２記載の番組予約機能を備えた放送受信装置において、前記予約単位時間設定部で指定した単位時間と前記選択キーの操作回数との積を前記単位時間の延長時間としたものであるから、番組予約に割り当てられたキーの操作回数に応じて番組予約時間を延長が可能となり、延長時間が把握しやすい。
【００１８】
請求項４に係る番組予約機能を備えた放送受信装置によれば、請求項１〜３の何れか１項に記載の番組予約機能を備えた放送受信装置において、前記予約単位時間設定部とチャンネル設定部で設定した番組予約情報をモニタに表示させる報知処理部を設けたものであるから、視聴者はモニタに表示される番組予約情報に基づいて予約内容を簡単に確認することができる。
【発明を実施するための最良の形態】
【００１９】
以下、本発明を実施するための最良の形態としての実施例を図１〜図３を参照して説明する。もちろん、本発明は、その発明の趣旨に反さない範囲で、実施例において説明した以外のものに対しても容易に適用可能なことは説明を要するまでもない。
【実施例１】
【００２０】
図１〜図３は、本発明の実施例１を示し、放送受信装置の構成を示すブロック図、図２は、各種設定画面を示す説明図、図３は予約制御処理手順を示すフローチャートを示しており、図１において、１は放送信号が入力されるアンテナ、２はアンテナ１で受信した放送信号を復調するチューナ、３はチューナ２で復調した信号の色復調と輝度・コントラスト・色の濃さ等の映像調整処理を行って表示部４に映像として表示させるための処理を行うとともに、録画再生のためのＡ／Ｄ変換、Ｄ／Ａ変換、圧縮／解凍などの処理を行う映像音声処理部、４は視聴者による入力操作が行われるキー入力手段たるリモコン、５はリモコン４からの信号を入力してキー入力処理部６に出力する受光部であり、キー入力処理部６では、視聴者が操作したリモコン４あるいは本体キー（図示せず）からのキー入力の受付処理を行う。キー判別処理部７は、視聴者が操作したキーコードが数値キーか動作キーであるかなどを判別し、そのキーコードに対応してチャンネルキー抽出処理部８あるいは動作処理部９に信号を出力する。チャンネルキー抽出処理部８は、キー判別処理部７からの信号によって視聴者がチャンネル切換え操作が行われたと判別した際、チャンネル切換処理部１０へと信号を出力してチャンネル切換処理を行い、予約操作が行われたと判別した際、予約設定部１１へと信号を出力し、予約設定を行なう。すなわち、チャンネルキー抽出処理部８が予約すべき番組のチャンネルを設定するチャンネル設定部となる。また、ＥＰＧデータを利用する場合、データ処理部１２によってアンテナ１から放送に伴って配信される番組情報を取得し、予約設定部１１に信号を出力して予約設定を行なう。予約設定部１１によって予約設定が行なわれると、予約設定に伴う各種の情報を視聴者に報知するために、予約設定部１１から報知処理部１３に信号が出力され、さらに、報知処理部１３から表示制御部１４に信号が出力される。表示制御部１４は、報知処理部１３からの信号により、予約データなどに基づいて予約するチャンネル、日時、予約時間などの情報やメニュー画面などをＣＲＴ、液晶パネル、ＰＤＰ、リアプロジェクションテレビなどのモニタ１５にＯＳＤ表示するための処理や映像を表示させる処理を行う。また、計時部１６では予約設定時の時刻の管理や予約単位時間など各種制御に伴う時刻の管理や時刻のカウントを行う。予約単位時間設定部１７は、視聴者からのキー入力によって予約単位時間の設定が成されると予約設定部１１に信号を出力し、視聴者の設定した単位時間毎に予約処理を行う。これらの処理は制御部としてＣＰＵ２１を備えたマイコン２０によって制御され、ＣＰＵ２１によって前記各処理部、各設定部を含む装置全体を制御する。また、メモリ２２は、マイコン２０の初期値、チャンネルデータなどの各データを記憶する。
【００２１】
本実施例の放送受信装置は、視聴者がリモコン４を介して表示命令を与えたとき、例えば、メニューキーを押したときにモニタ１５には図２（ａ）で示すようにメニュー表示画面Ａが表示される。メニュー表示画面Ａには、時計合わせａ１、予約設定ａ２、チャンネル合わせａ３の設定項目が表示され、カーソルキーなどの選択キーによって、視聴者が希望する設定項目を選択する。予約設定ａ２に合わせて決定キーを操作すると、図２（ｂ）で示すように予約設定画面Ｂとなる。予約設定画面Ｂでは録画ｂ１と視聴ｂ２の選択が可能であり、ここでカーソルキーによって、録画ｂ１を選択すればチャンネル合わせａ３で設定したチャンネルでの録画を行え、視聴ｂ２を選択すれば設定したチャンネルに切り換える処理を行う（図２（ｂ）の予約設定画面Ｂでは視聴ｂ２を選択した場合を示す）。また、予約に割り当てた任意のキー（以下、予約キーと称す）を操作した後、数字キーを操作することによって、その数字に対応するチャンネルにチャンネル合わせを行うことも可能である。そして、録画ｂ１又は視聴ｂ２の何れかを選択すると、予約時間の切り換え時間を設定する予約時間設定画面Ｃとなる。予約時間設定画面Ｃでは、３０分単位又は６０分単位での予約単位時間の設定が可能であり、３０分ｃ１を選択すれば、例えば、８：３０、９：３０、１０：３０というように毎時３０分からの録画ｂ１又は視聴ｂ２の予約が開始され、６０分ｃ２を選択すれば８：００、９：００、１０：００と毎時００分からの録画ｂ１又は視聴ｂ２の予約が開始される（図２（ｃ）では６０分ｃ２の予約単位時間を選択した場合を示す）。また、予約単位時間は、６０分ｃ２と３０分ｃ１以外で任意の設定キーを操作することによって視聴者が所望する任意の時間が設定可能であり、例えば４５分と設定すれば、８：４５、９：４５、１０：４５というように毎時４５分からの視聴又は予約を開始することも可能である。また、予約時間設定画面Ｃで選択した時間は、録画ｂ１又は視聴ｂ２の予約開始時間の設定の他、予約開始から終了までの予約時間であり、６０分ｃ２を選択すれば予約開始時間から６０分、３０分ｃ１を選択すれば予約開始時間から３０分、録画ｂ１又は視聴ｂ２が予約されるものであるが、予約キーを連続的（例えば５秒以内）に操作することによって、予約時間の延長が可能である。すなわち、予約時間設定画面Ｃで設定した単位時間ｔ、予約キーの操作回数をｎとすると、延長時間Ｔはt×ｎ時間分、延長することができ、例えば予約時間設定画面Ｃで３０分ｃ１を選択し、予約キーを３回連続で押したとすると、３０分×３＝９０分の延長が可能であり、６０分ｃ２を選択した場合、６０分×３＝１８０分の延長が可能である。このように、各種の予約設定を行うと、図２（ｄ）に示すように、モニタ１５に予約情報ｅとして表示され、また、チャンネル表示部ｆにチャンネル合わせたチャンネルの番号が表示される。
【００２２】
次に図３のフローチャートを用いて視聴又は録画の予約制御処理手順について説明する。まず、リモコン４の予約キーを操作して予約キー入力を行う（ステップＳ１）。リモコン４からの信号は受光部５からキー入力処理部６に出力され、キー判別処理部７によってチャンネルキー抽出処理部８から予約設定部１１へと信号が出力される。そして、ステップＳ２では視聴者が予め予約設定時間を設定しているか否かを判別し、予約設定時間が設定されていない場合には、ステップＳ３に進み、予約単位時間の設定モードとなり、ここで予約単位時間を設定するか否かを選択し（ステップＳ４）、予約単位時間を設定しない場合、通常動作となり（ステップＳ５）、予約単位時間を設定した場合にはステップＳ６に進み、視聴者が予約する番組のチャンネル入力を行ったか否かを判別し、チャンネル入力を行っていればステップＳ７で視聴者が設定したチャンネルで予約設定される。
【００２３】
すなわち、例えばＰＭ８：１０で１２ＣＨを視聴中、ステップ２で予約設定時間６０分と設定し、ステップＳ６にて例えば「８」の数字キーを入力して８ＣＨのチャンネル予約を行った場合、録画モードであればＰＭ９：００〜ＰＭ１０：００まで８ＣＨの番組が録画され、視聴モードであればＰＭ９：００になると、１２ＣＨから８ＣＨに切り換える処理を行う。さらに、ステップＳ６では、複数のチャンネル予約が行えるものであり、前記「８」の数字キーを入力した後、「６」の数字キーを入力すると、ＰＭ９：００から８ＣＨの番組がチャンネル予約され、ＰＭ１０：００から６ＣＨの番組がチャンネル予約される。なお、ステップ２で予約設定時間３０分と設定した場合には、ＰＭ８：３０から８ＣＨの番組がチャンネル予約され、ＰＭ９：３０から６ＣＨの番組がチャンネル予約されることになる。
【００２４】
一方、視聴者がチャンネルの予約を設定していな状態で予約キーを操作したか否かを判別し（ステップＳ８）、予約キーの入力が無ければ、現在視聴中のチャンネルでの予約設定が確定する（ステップＳ９）。すなわち、ステップ２で予約設定時間６０分と設定した場合、録画モードであればＰＭ９：００〜ＰＭ１０：００まで１２ＣＨの番組が録画され、視聴モードでは視聴中のチャンネルのままであり、予約設定時間を３０分に設定した場合、録画モードであればＰＭ８：３０〜ＰＭ９：００まで１２ＣＨの番組が録画され、視聴モードでは視聴中のチャンネルのままである。一方、予約キーが入力されるとステップ１０に進み、予約単位時間が延長される。ここで、予約キーの操作回数ｎに応じて延長時間Ｔを決定する。すなわち、予約設定時間を６０分に設定した場合、予約キーを３回連続で押したとすると、前述したように１８０分延長され、ＰＭ９：００〜ＡＭ１２：００まで番組予約（視聴又は録画）され、予約設定時間を３０分に設定した場合、９０分延長され、ＰＭ８：３０〜ＰＭ９：００まで番組予約（視聴又は録画）される。また、これらの予約情報ｅはモニタ１５に表示され、番組を視聴中、視聴者が録画設定した内容、すなちち、番組を予約したのかが容易に確認できるようになっている。
【００２５】
以上のように、本実施例においては、３０分又は６０分の予約設定時間を設定し、予約キーなどの特定のキーを操作してから、チャンネル合わせする番組を選択すれば、現時間を基準として毎時３０分又は毎時００分に番組予約が行える。すなわち、例えば、ＰＭ８：１０で１２ＣＨを視聴中、予約設定時間６０分とすれば、ＰＭ９：００から番組予約（視聴又は録画）を行うことができ、最初に予め３０分又は６０分の予約設定時間さえ設定しておけば、予約キー及びチャンネル合わせを行うための数字キーの操作といった最低2回のキー操作を行うだけで簡単に予約設定を行うことができる。また、予約キーの操作回数に応じて予約設定時間の延長も簡単に行えるので、番組予約に伴う操作を容易に行うことができる。
【実施例２】
【００２６】
図４は本発明の実施例２を示す設定画面を示す説明図であり、前記実施例と同一機能を有する部分には、同一符号を付し、重複する部分の説明を省略し、異なる部分についてのみ説明する。
【００２７】
本実施例においては、図４に示すようにメニュー表示画面Ａには時計合わせａ１、予約設定ａ２、チャンネル合わせａ３の他に番組予約（録画又は視聴）の終了時間を設定する終了時間設定ａ４が表示され、その終了時間設定ａ４を選択し、カーソルキーによって、終了時間を設定することができる。例えば、５４分（任意に設定可能）に設定すると、毎時５４分に番組予約（録画又は視聴）を終了する。つまり、放送局、特に民放の放送局から提供される番組の最後にはＣＭが流れる場合多いから、番組は毎時００分に番組が終了することが少なく、概ね５４分に終了するパターンが多い。したがって、本実施例のように、終了時間設定ａ４を任意に設定することができれば、無駄なＣＭなどが録画されることがなく、合理的である。
【００２８】
以上、本発明の各実施例について詳述したが、本発明の要旨の範囲内で種々の変形実施が可能である。例えば、実施例２では５４分に終了時間を設定して例を示したが、勿論、この時間に限定されるものでなく、何時でも可能である。
【図面の簡単な説明】
【００２９】
【図１】本発明の実施例１を示す放送受信装置の構成を示すブロック図である。
【図２】同上、設定画面を示す説明図であり、図２（ａ）はメニュー表示画面、図２（ｂ）は予約設定画面、図２（ｃ）予約時間設定画面を示している。
【図３】同上、予約制御処理手順を示すフローチャートである。
【図４】同上、本発明の実施例２を示す設定画面を示す説明図である。
【符号の説明】
【００３０】
８  チャンネルキー抽出処理部（チャンネル設定部）
４  リモコン（キー入力手段）
１３  報知処理部
１５  モニタ
１７  予約単位時間設定部
２１  ＣＰＵ（制御部）
【図１】
2006237810.tif 000003
【図２】
2006237810.tif 000004
【図３】
2006237810.tif 000005
【図４】
2006237810.tif 000006